(57)【要約】【課題】集中豪雨等の緊急時に持ち運びや保管が容易で、迅速に設置できる浸水防止装置を提供する。【解決手段】支柱と、２つの支柱の間と通路の上面に水密に固定される止水板とを少なくとも有する浸水防止装置において、支柱の対向する側に凹状の縦溝をそれぞれ設け、巻回可能な止水板の横幅方向の端部を横方向から縦溝に挿入し、止水板の端部に沿って付設され縦溝に密着する弾性部材、又は支柱と止水板とを接続するための縦溝内に設けられた保持具により、止水板を支柱に固定する。【選択図】図１
2019138071.tif 000002
【特許請求の範囲】
【請求項１】
建物の出入口や地下へ入口の、対向する両側の側壁に密着させて通路の上面に立てられる支柱と、該２つの支柱の間と前記通路の上面に水密に固定される止水板とを少なくとも有し、洪水等による浸水を防止する浸水防止装置において、
前記２つの支柱の対向する側のそれぞれに、前記止水板の横幅方向のそれぞれの端部を保持するための凹状の縦溝が設けられ、
前記止水板の端部が横方向から前記縦溝に挿入されて保持される
浸水防止装置の支柱。
【請求項２】
前記支柱が前記側壁から脱着可能である、請求項１に記載の浸水防止装置の支柱。
【請求項３】
前記止水板が横幅方向に巻回可能である、請求項１又は２に記載の浸水防止装置の支柱。
【請求項４】
前記止水板の両側端部のそれぞれに、前記縦溝に挿入する剛直性を有する側版を前記端部に沿うように取付けた、請求項１〜３のいずれか１項に記載の浸水防止装置の支柱。
【請求項５】
前記縦溝に面する前記止水板の端面に弾性部材が付設され、前記弾性部材の弾性により前記端面が前記縦溝に密着されて固定される、請求項１〜４のいずれか１項に記載の浸水防止装置の支柱。
【請求項６】
前記縦溝が、前記縦溝内に前記止水板を固定し、非使用時には前記縦溝内に収納される保持具を備え、前記保持具は、一方の端部は前記縦溝内に固定され、他方の端部に前記止水板に結合するための部品を備えている、請求項１〜４のいずれか１項に記載の浸水防止装置の支柱。
【請求項７】
前記保持具が紐状の弾性体を含む、請求項６に記載の浸水防止装置の支柱。
【請求項８】
前記支柱の間の前記通路の上面に止水ゴム部が設置され、前記止水板の下端部と前記両側の支柱の下端部がその上に密着して配置される、請求項１〜７のいずれか１項に記載の浸水防止装置の支柱。
【請求項９】
前記止水板が、柔軟性のある止水シートと、該止水シートの片方の面上に隙間をあけて設けられた複数の縦リブ部とから構成される、請求項１〜８のいずれか１項に記載の浸水防止装置の支柱。
【請求項１０】
前記止水シートの片方の面に、剛直性を有する閂部材がその長さ方向を水平にして取付けられた、請求項９に記載の浸水防止装置の支柱。
【請求項１１】
前記止水シートが炭素繊維及び熱可塑性樹脂を含む、請求項９又は１０に記載の浸水防止装置の支柱。
【発明の詳細な説明】
【技術分野】
【０００１】
本発明は、浸水防止装置の支柱及び止水板に関し、より具体的には、建物の出入口、又は地下の入り口等の浸水の可能性がある箇所に、豪雨時等に設置する浸水防止装置の支柱及び止水板に関する。
【背景技術】
【０００２】
従来、大雨や高潮等の発生時、道路に溢れた水が建物内、地下施設等に浸入するのを防止するため、土嚢や止水板が用いられてきた。特に１９９９年に起きた集中豪雨による博多駅前地下浸水事故以来、地下街や地下鉄の出入口では、設置に時間のかかる土嚢ではなく、支柱の間にパネル型の止水壁を差し込む止水板が広く普及した。例えば、特許文献１には、水平方向に長い断面矩形状の複数本の基本形枠材を上下に重ね合わせて順次連結すると共に、連結した板体の周囲に縁枠材を装着することにより一枚の止水板とすることが開示されている。このような止水板は、所定の間隔を置いて配置される一対の支柱の対向面に形成された溝と、床上に形成された溝に水密に嵌め込まれて設置される。
【０００３】
しかし、特許文献１に開示される止水板は、基本形枠材及び縁枠材の保管場所の確保が困難で、またこれらの重量が重くて持ち運びが容易ではなく、さらに、止水板の組み立て及び設置に時間がかかるといった問題がある。そのため、軽量で設置や持ち運びが容易となるように、止水板に関する各種検討がなされている。例えば、特許文献２には、止水板を炭素繊維強化プラスチック製とした防水装置が開示されている。また、特許文献３には、複数本の縦に長い金属ユニットを互いに接するように横方向に板状に配置されてなる金属体と、金属体の一方の面を覆い、金属ユニットを連結する連結シートとを備え、この連結シートにより巻回可能とされた止水板が開示されている。この止水板は、金属板の全部を覆うようにゴム部材がさらに設けられており、ゴム部材が、地下鉄の入り口などに設けられた構造物に密着させられることで水密性が確保されている。また特許文献４には、脱着可能な止水板用の支柱が開示されており、支柱の表面部分に弾性材が取付けられた構成とすることで止水パネルとの間の密着性を高め、止水性を向上させている。
【先行技術文献】
【特許文献】
【０００４】
【特許文献１】実公平４−２１８５７号公報
【特許文献２】特開２０１６−１９１２３６号公報
【特許文献３】特開２０１７−４８６７２号公報
【特許文献４】特開２０１６−６９９６９号公報
【発明の概要】
【発明が解決しようとする課題】
【０００５】
上述の通り、主に地下鉄や地下街の出入り口において、支柱に止水パネルを上からはめ込む形の浸水防止装置が採用されており、地下への出入り口の両端に止水板用の支柱があり、階段途中に止水パネルを保管した容器が置かれている設置形態がよく見られるようになった。しかし、上記の様な特許文献１〜４に記載の止水パネル型の止水板は、１枚あたりの重量が重く、設置作業に複数人が必要になるという問題や、地下街等ではパネルのサイズが大きいため止水板の設置場所の近くに保管場所を確保することが難しいという問題があった。
【０００６】
そこで本発明者は、巻回可能な止水板を用いることで上記問題点が解決出来ることを見いだしたものの、このような止水板は従来のパネル型に比べて部品点数が多く、止水板設置作業時に、設置に必要な部品が紛失するといった新たな問題が発生した。
【０００７】
本発明はこのような問題点に鑑みてなされたものであり、本発明の目的は、集中豪雨等の緊急時に、迅速に止水板を設置出来る支柱、及び持ち運びや保管が容易で、かつ設置時間の短い止水板と支柱を含む浸水防止装置を提供することにある。
【課題を解決するための手段】
【０００８】
本発明者は、上記課題を解決すべく鋭意検討した結果、支柱側面に止水シートを挿入し、止水シートを固定するための保持具等の部品が保管可能である凹状の縦溝を設けることで、上記課題が解決出来ることを見いだし、本発明に到達した。
【０００９】
すなわち、本発明による浸水防止装置の支柱は、以下の特徴を有する。
建物の出入口や地下へ入口の、対向する両側の側壁に密着させて通路の上面に立てられる支柱と、該２つの支柱の間と前記通路の上面に水密に固定される止水板とを少なくとも有し、洪水等による浸水を防止する浸水防止装置において、
前記２つの支柱の対向する側のそれぞれに、前記止水板の横幅方向のそれぞれの端部を保持するための凹状の縦溝が設けられ、
前記止水板の端部が横方向から前記縦溝に挿入されて保持される。
【００１０】
前記支柱は前記側壁から脱着可能であってよい。
【００１１】
前記止水板は横幅方向に巻回可能であってよい。
【００１２】
前記止水板の両側端部のそれぞれに、前記縦溝に挿入する剛直性を有する側版を前記端部に沿うように取付けてもよい。
【００１３】
前記縦溝に面する前記止水板の端面に弾性部材が付設され、前記弾性部材の弾性により前記端面が前記縦溝に密着されて固定される。
【００１４】
前記縦溝が、前記縦溝内に前記止水板を固定し、非使用時には前記縦溝内に収納される保持具を備えていてもよく、前記保持具は、一方の端部は前記縦溝内に固定され、他方の端部に前記止水板に結合するための部品を備えている。
【００１５】
前記保持具は紐状の弾性体を含んでいてよい。
【００１６】
前記支柱の間の前記通路の上面に止水ゴム部が設置され、前記止水板の下端部と前記両側の支柱の下端部がその上に密着して配置される。
【００１７】
前記止水板が、柔軟性のある止水シートと、該止水シートの片方の面上に隙間をあけて設けられた複数の縦リブ部とから構成されていてよい。
【００１８】
前記止水シートの片方の面に、剛直性を有する閂部材がその長さ方向を水平にして取付けられてもよい。
【００１９】
前記止水シートは炭素繊維及び熱可塑性樹脂を含んでいてもよい。
【発明の効果】
【００２０】
本発明の支柱は、集中豪雨等の緊急時に迅速に止水板を設置出来るため、設置時間の短い止水板と支柱を含む浸水防止装置を設置することができる。さらに本発明の止水板は、保管時にはコンパクトで、かつ軽量で持ち運びが容易なため、熟練した作業員でなくとも容易に設置することができる。また本発明の止水板と支柱とを組み合わせることで、必要な時に部品の搬出忘れや紛失等が起きず、結果として迅速に止水板を設置することができる。
【図面の簡単な説明】
【００２１】
【図１】本発明の一実施形態に係る浸水防止装置を背面側から見た斜視図である。
【図２】本発明の一実施形態に係る浸水防止装置の分解斜視図である。
【図３】本発明の一実施形態に係る浸水防止装置を正面側から見た斜視図である。
【図４】本発明の一実施形態に係る止水板の断面図であって、止水ゴム部を折り曲げた時の状態を示す。
【図５】本発明の一実施形態に係る止水板を支柱に挿入した時の断面図である。
【図６】本発明の他の実施形態に係る止水板を支柱に固定した時の断面図である。
【図７】本発明の他の実施形態に係る支柱の斜視図である。
【００２２】
以下、本発明の一実施形態について図面を参照に説明する。
１．浸水防止装置
本発明による浸水防止装置３０は、図１に示すように、止水板１０と、所定の間隔をおいて設けられる一対の支柱材３１、３１とを備える。止水板１０は、支柱材３１、３１の間に配置され、その両側端部が一対の支柱材３１、３１それぞれに取付けられ、各種建物、地下の出入口、通路などを塞いで、大雨や洪水等が発生した際、氾濫した水が道路側から建物の中、地下などに浸入するのを防止するものである。建物としては、家屋、ビル等どのようなものでよく、浸水防止装置３０は、例えば、ビル、地下への出入口、家屋の玄関などに配置される。
（１）止水板
【００２３】
まず止水板について以下に詳細に説明する。
図１〜３に示すように、止水板１０は、並設される複数の縦リブ部１１Ｂを有する止水シート１１を必須とし、止水シート１１の下端に止水ゴム部１２を有してもよい。止水シート１１は、両側の支柱材３１、３１間に張設可能な横幅を有するシート本体１１Ａと、シート本体１１Ａの一方の面において、シート本体１１Ａの横幅方向に一定間隔で並べられ、かつシート本体１１Ａから突設された縦リブ部１１Ｂとを有する。隣接する縦リブ部１１Ｂ、１１Ｂは、これらの間の隙間部分のシート本体１１Ａにより構成されたスキン部１１Ｃにより接続されている。止水板１０は、縦リブ部１１Ｂ、１１Ｂの間のスキン部１１Ｃが湾曲させられることにより巻回可能となる。
【００２４】
（２）止水シート
浸水防止装置３０において、止水シート１１は、縦リブ部１１Ｂが設けられる面（以下、「正面」ともいう）１１Ｄが、浸水の上流側に向けられる面となり、縦リブ部１１Ｂが設けられないシート本体１１Ａ側の面（以下、「背面」ともいう）１１Ｅが、浸水の下流側に向けられた面となる。なお、浸水の上流側とは、水が氾濫した道路側であり、浸水の下流側とは、浸水を防止する対象である建物、地下側である。
【００２５】
図１〜３に示すように、縦リブ部１１Ｂは、シート本体１１Ａの上端部から下端部まで延在し、縦リブ部１１Ｂの下端面と、シート本体１１Ａの下端面とが面一となっている。従って、後述するように、止水シート１１は、止水ゴム部１２の上に立設されるが、その場合、シート本体１１Ａの下端面及び縦リブ部１１Ｂの下端面は、止水ゴム部１２の上面に当接することになり、これにより、止水板１０の下端部の水密性が優れたものとなる。なお、縦リブ部１１Ｂは、浸水防止装置３０において、その長さ方向と設置面（床面）とのなす角度が、４５〜９０°、好ましくは８０〜９０°、最も好ましくは９０°となるようにされる。この角度は、９０°に近くなるほど止水板１０を容易に巻回させることが可能になる。
【００２６】
止水シート１１のスキン部１１Ｃを構成するシート本体１１Ａは、繊維と合成樹脂の複合材から成るものであり、繊維と繊維に含浸させた合成樹脂を含むものである。具体的には、繊維状基材に合成樹脂を含浸させた複合基材を有することが好ましい。繊維状基材としては、織物、編物、不織布、一方向に連続繊維が配列されてなる一方向連続繊維等の連続繊維を使用したものが好ましく、これらの中では織物がより好ましい。繊維状基材を構成する繊維としては、特に限定されないが、ガラス繊維及び炭素繊維から選択されることが好ましく、機械物性の観点から炭素繊維がより好ましい。炭素繊維としては、例えば、ＰＡＮ系炭素繊維、ＰＩＴＣＨ系炭素繊維等が挙げられる。ガラス繊維としては、例えば、Ｅガラス繊維等が挙げられる。
【００２７】
縦リブ部１１Ｂは、繊維と合成樹脂の複合材から成り、合成樹脂から成って縦リブ部１１Ｂの長さ方向に延在する芯部と、この芯部の少なくとも一部を被覆する表皮層とを含むことが好ましい。表皮層には樹脂含浸繊維を用いることが好ましく、樹脂含浸繊維は、繊維状補強材とこの繊維状補強材に含浸された合成樹脂とを含む。また、表皮層は、縦リブ部１１Ｂの芯部のみならず、止水シート１１の表面において、隣接する縦リブ部１１Ｂ、１１Ｂ間のスキン部１１Ｃの表面も覆うように形成されていることが好ましい。この場合、表皮層は、縦リブ部１１Ｂ、１１Ｂ間のスキン部１１Ｃにおいてシート本体１１Ａを構成する上記複合基材上に積層されるのがよい。
【００２８】
表皮層に使用される繊維状補強材としては、織物、編物、不織布、一方向に連続繊維が配列されてなる一方向連続繊維等の連続繊維を使用したものが好ましく、一方向連続繊維がより好ましい。一方向連続繊維は、横方向、すなわち、各縦リブ部１１Ｂの長さ方向と交差する方向に延在することが好ましい。繊維状補強材を構成する繊維としては、特に限定されないが、ガラス繊維及び炭素繊維から選択されることが好ましく、防水性及び表面外観の観点からガラス繊維がより好ましい。炭素繊維としては、例えば、ＰＡＮ系炭素繊維、ＰＩＴＣＨ系炭素繊維などが挙げられる。ガラス繊維としては、例えば、Ｅガラス繊維などが挙げられる。また、繊維状基材、及び繊維状補強材のうち少なくとも一方は、炭素繊維であることがより好ましい。すなわち、止水シートの繊維は、少なくとも一部が炭素繊維であることがより好ましい。また、繊維状基材が炭素繊維、繊維状補強材がガラス繊維であることがさらに好ましい。
【００２９】
止水シート１１に使用する合成樹脂としては、熱可塑性樹脂又は熱硬化性樹脂の何れであってもよいが、熱可塑性樹脂の方が好ましい。熱可塑性樹脂としては、例えば、ポリオレフィン系樹脂、ポリエステル系樹脂、ポリアミド樹脂などが挙げられ、これらの中では、ポリオレフィン系樹脂、特にポリプロピレン樹脂が好ましい。熱硬化性樹脂としては、エポキシ樹脂、不飽和ポリエステル樹脂、フェノール樹脂、メラミン樹脂、ポリウレタン樹脂などが挙げられる。止水シート１１において、シート本体１１Ａ、縦リブ部１１Ｂを構成するための芯材及び表皮層に使用する合成樹脂は、いずれも同種のものを使用しても異なるものを使用してもよいが、同種のものを使用することが好ましい。したがって、シート本体１１Ａ（すなわち、スキン部）、及び縦リブ部１１Ｂに使用する合成樹脂は、いずれもポリオレフィン系樹脂、特にポリプロピレン樹脂が好ましい。
【００３０】
（３）止水ゴム
止水ゴム部１２を構成するゴムは、従来公知のゴムが使用可能であり、天然ゴム（ＮＲ）、イソプレンゴム（ＩＲ）、ブタジエンゴム（ＢＲ）、スチレンブタジエンゴム（ＳＢＲ）、クロロプレンゴム（ＣＲ）、ブチルゴム（ＩＩＲ）、アクリロニトリルブタジエンゴム（ＮＢＲ）、水素化アクリロニトリルブタジエンゴム（ＨＮＢＲ）、ノルボルネンゴム（ＮＯＲ）、エチレン・プロピレンゴム（ＥＰＭ）、エチレン・プロピレン・ジエンゴム（ＥＰＤＭ）、アクリルゴム（ＡＣＭ）、フッ素ゴム（ＦＫＭ）、クロロスルホン化ポリエチレン（ＣＳＭ）、エピクロロヒドリンゴム、シリコーンゴム、ウレタンゴムなどが挙げられる。これらゴムは、１種単独で使用してもよいし２種以上を使用してもよい。これらの中では、特にエチレン・プロピレン・ジエンゴム（ＥＰＤＭ）が好ましい。ＥＰＤＭは、耐熱性、耐候性などに優れ、かつ、粘着剤、特にアクリル系粘着剤との接着性及び脱着性に優れるため、良好な耐久性及びメンテナンス性が得られる。
【００３１】
止水ゴム部１２は、一般的に、上記ゴムに各種添加剤が配合されてもよい。添加剤は、通常のゴムに使用される各種添加剤が使用でき、軟化剤、可塑剤、架橋剤、老化防止剤、酸化防止剤、架橋助剤、着色剤、充填材等が挙げられる。止水ゴム部１２は、架橋剤が配合される場合、架橋剤により架橋されていることが好ましい。架橋剤は加硫剤とも呼ばれ、硫黄系架橋剤、過酸化物系架橋剤等が挙げられる。また、本実施形態において止水ゴム部１２はシート状であるが、シート状以外の形状を有していてもよい。
【００３２】
止水板１０は、止水シート１１と止水ゴム部１２の間に配置される粘着層を備えていてもよい。その粘着層により止水ゴム部１２が止水シート１１に接着される。より具体的には図４に示すように、止水シート１１と止水ゴム部１２の間に、基材１３Ａと、基材１３Ａの両面それぞれに設けられた粘着層１３Ｂ、１３Ｃとを配置してもよい。あるいは、止水シート１１と止水ゴム部１２の間には単層の粘着層を設け、これにより止水ゴム部１２とを止水シート１１に接着してもよい。
【００３３】
基材１３Ａは、熱可塑性樹脂層であることが好ましく、具体的には、熱可塑性樹脂フィルム、熱可塑性樹脂クロス等が挙げられ、これらの中では熱可塑性樹脂クロスが好ましい。基材に使用される熱可塑性樹脂としては、ポリエチレン樹脂、ポリプロピレン樹脂等のポリオレフィン系樹脂、軟質ポリ塩化ビニル樹脂、ポリアミド樹脂、ポリエチレンテレフタレート等のポリエステル樹脂等が挙げられる。また、クロスとしては、織布、編布、不織布等が挙げられる。
【００３４】
粘着層１３Ｂ、１３Ｃは粘着剤から成り、具体的には、アクリル系粘着剤、ゴム系粘着剤、ウレタン系粘着剤、シリコ−ン系粘着剤等が使用され、これらの中ではアクリル系粘着剤が好ましい。アクリル系粘着剤は、各種の（メタ）アクリレート由来の構成単位を有するアクリル系共重合体を含有し、適宜、粘着付与樹脂、架橋剤などが配合されてもよい。粘着層にアクリル系粘着剤を使用することで、止水ゴム部１２と止水シート１１の間の水密性を良好にすることが可能である。また、アクリル系粘着剤はＥＰＤＭ等の各種ゴムとの剥離性が良好であり、止水ゴム部１２を止水シート１１から剥離する時に、止水シート１１に糊残りが生じにくくなる。しかし、ゴム系粘着剤を使用することも可能である。ゴム系粘着剤はゴム成分を含有し、適宜、粘着付与樹脂、架橋剤等が配合されてもよい。ゴム成分としては、スチレン系熱可塑性エラストマー、スチレン−ブタジエンゴム、ポリイソブチレンゴム、ポリイソプレンゴム、クロロプレンゴム、ブチルゴム、ニトリルブチルゴム等が挙げられる。
【００３５】
本発明の止水板１０は、芯材がポリプロピレン、表皮層がポリプロピレンを含浸させた床面に平行な１方向連続ガラス繊維から成る縦リブ部１１Ｂと、スキン部１１Ｃがポリプロピレンを含浸させた炭素繊維織物である止水シート１１と、アクリル系粘着層とＥＰＤＭから成る止水ゴム部１２とから構成されるのが最も好ましい態様であるが、本発明はこの態様に限定されるものではない。
【００３６】
例えば、止水シート１１は、一方の面（正面１１Ｄ）に縦リブ部１１Ｂを有するとともに、他方の面（背面１１Ｅ）には縦リブ部１１Ｂが設けられず、その背面１１Ｅに止水ゴム部１２が粘着層によって接着されていてもよい。止水シート１１の背面１１Ｅは、通常平面状であるので、止水ゴム部１２を接着し易い。また後述するように、止水ゴム部１２は、図４に示すように背面１１Ｅ側から正面１１Ｄ側に折り曲げられて設置されるので、上流側からの浸水に対する止水性が良好となる。
【００３７】
また、止水板１０は、止水ゴム部１２が止水シート１１に接着されている構成であるが、止水ゴム部１２が弾性を有するので、止水板１０は、止水シート１１が止水ゴム部１２に接着されたままこれらが一体となって図２に示すように巻回させることが可能になる。なお、止水ゴム部１２は、折り曲げずに止水シート１１と同様にシート状に延ばされた状態から巻回させるとよい。
【００３８】
（５）支柱材 
次に、止水板１０の両側端部と支柱材との接続構造について説明する。
図１〜３ に示すように、浸水防止装置３０が有する支柱材３１、３１それぞれは、互いに対向して設けられ、上面が閉鎖されており、止水板１０の両側端部が横方向に挿入される縦溝３１Ａ、３１Ａを備える。例えば支柱材３１の横断面がコ字状である場合は、縦溝３１Ａは凹状の溝となる。また、支柱材３１、３１は、出入口又は通路の両側壁面などに設置される。支柱材３１、３１は両側壁面から脱着可能としてもよい。
【００３９】
止水板１０の両側端部それぞれには、縦溝３１Ａ、３１Ａに挿入されるための側板１４、１４が設けられる。側板１４は、剛直性を有する金属製又は合成樹脂製の帯板材から成る。側板１４は、横幅方向における外側部分が縦溝３１Ａに挿入されるとともに、横幅方向における内側部分が止水シート１１の両側端部それぞれの正面１１Ｄ上に重ね合わせられ、ボルト及びナットなどの固定手段によって止水シート１１に固定される。また、側板１４の下端面は、止水シート１１の下端面と面一となるように配置されており、従って、側板１４の下端面も、折り曲げられた止水ゴム部１２の上面に当接することになる（図３）。また、側板１４の厚さは、縦溝３１Ａの溝幅よりも薄く形成されるとともに、縦溝３１Ａに挿入された側板１４の外側部分の両面それぞれには、スポンジ材などの弾性部材１５が付設されている。また、側板１４の側端面外側にも弾性部材１５が付設されるとさらによい（図５）。弾性部材１５を縦溝３１Ａの内面に圧着することにより、止水板１０と支柱材３１の間の水密性が確保される。
【００４０】
ただし、止水板の両側端部が縦溝内に挿入され、かつ縦溝内部の内面に圧着するように構成されることで水密性が確保されれば、上記実施形態に限定されない。例えば、側板１４の外側部分の一方の面（例えば、上流側に向けられた面）のみに弾性部材１５が付設されるとともに、側板１４の外側部分の他方の面（例えば、下流側に向けられた面）側から側板１４を押圧するレバー、螺軸等が設けられてもよい。
【００４１】
また、側板１４の一方又は両方の面に縦溝内部の内面に圧着するための弾性部材１５を取付ける代わりに、図６、７に示すように、一方の端部が縦溝３１Ａ内に固定され、他方の端部にフックを有した紐状の保持具３５を、止水板に固設された係留金具３６に引掛けることにより止水シート１０を縦溝３１Ａ内に固定させてもよい。この保持具３５は例えばゴム部材から成る紐状の弾性体が望ましく、止水板１０の両側の端面は弾性紐の復元力により縦溝３１Ａに圧着され、水密性が確保される。非使用時には、図７に示すように保持具全体が縦溝３１Ａ内に収納されることが好ましく、また、砂埃等から縦溝内部を保護するための蓋３７を設けることがさらに好ましい。
【００４２】
さらに、止水板１０と支柱材３１の間の水密性が確保されていれば、縦溝３１Ａ、側板１４が設けられる必要はなく、縦溝３１Ａ、側板１４以外の部材により、止水板１０が支柱材３１に圧着され、これらの間に水密性が確保されてもよい。例えば、側板１４が省略され、止水板１０の両側端部に直接取付けられた弾性部材が、支柱材３１に圧着されることで、止水板１０と支柱材３１の間の水密性が確保されてもよい。この場合、支柱材３１の代りに、出入口又は通路の側壁面等に圧着されてもよい。また、弾性部材としては、ゴム部材などが使用されるとよく、上記の下端部に設けられた止水ゴム部１２と同様の構成を有するものであってもよい。
【００４３】
また、浸水防止装置３０は、図１〜３に示すように、さらに閂部材３２、及び圧着手段３３を有するとよい。閂部材３２は、剛直性を有する部材から成り、その長さ方向を水平にし、かつその正面側を止水シート１１の下側部分の背面１１Ｅに近接或いは接触させた状態で沿わせ、支持金具３４によって床面に固定させる。ただし、閂部材３２は支持金具３４によって床面に固定させる必要はなく、例えば、両支柱材等に固定してもよい。また、閂部材３２は、図１、２に示すように、止水シート１１の横幅方向に直列的に複数本配置してもよいし、１本であってもよい。また、閂部材３２の取付け位置は、止水シート１１の下側部分に限らず、中心付近、又は上側部分に取付けてもよい。閂部材３２は、張設された止水シート１１が両側端部を支点に下流側に湾曲変形しようとすると、止水シート１１を背面１１Ｅから支持して、止水シート１１が湾曲変形することを防止する。
【００４４】
圧着手段３３は、長さ方向に伸縮可能なゴム製の弾性ベルト体３３Ａと、弾性ベルト体３３Ａの上端部に装着され、止水シート１１の上端部に着脱自在に係止させるフック形状の取付用金具３３Ｂと、弾性ベルト体３３Ａの下端部に装着され、閂部材３２に連結させる連結用金具３３Ｃとを備える。連結用金具３３Ｃは、図1、２に示すように、弾性ベルト体３３Ａの下端部に接続された金属製環体３３Ｄと、金属製環体３３Ｄと閂部材３２それぞれに係脱自在に係止される係止具３３Ｅとを備える。しかし、連結用金具３３Ｃはこのような構成に限定されず、例えば、弾性ベルト体３３Ａの下端部を閂部材３２の上面に直接連結させる金具であってもよい。また、圧着手段３３が止水シート１１の上端部に係止し、かつ閂部材３２に連結されたとき、弾性ベルト体３３Ａは伸長した状態となることが好ましく、そのために長さが適宜調整可能に構成されてもよい。
【００４５】
圧着手段３３は、弾性ベルト体３３Ａの弾性収縮力によって閂部材３２を支点として、取付用金具３３Ｂを介して止水シート１１を下方に押圧する。この押圧力によって止水シート１１が止水ゴム部１２をさらに押圧することで、止水ゴム部１２を床面に圧着させ、止水板１０の下端部側の水密性を確保する。なお、圧着手段３３の数は、止水シート１１の横幅の長さに応じて適宜変更すればよく、通常は複数個設けられる。複数個の圧着手段３３は、図１に示すように、止水シート１１の横幅方向に間隔をおいて並設される。なお、閂部材３２及び圧着手段３３は適宜省略してもよく、閂部材３２、圧着手段３３以外の手段により、止水シート１１を上方から押圧して、止水ゴム部１２を床面に圧着させてもよい。
【００４６】
また、浸水防止装置３０は、止水板１０を適宜支持する部材をさらに有してもよく、例えば、止水板１０を通路又は出入口の両側壁面によって支持させるための支持部材などをさらに有してもよい。そのような支持部材は、止水板１０を両側壁面などに接続するように設けられるとよい。
（６）浸水防止装置の使用態様
【００４７】
次に、浸水防止装置３０の使用態様を説明する。浸水防止装置３０は、不使用時には止水板１０、閂部材３２、及び圧着手段３３等、支柱材３１以外の浸水防止装置３０を構成する部品が纏められて保管されるとよい。なお、止水板１０は、上記したように、止水シート１１及び止水ゴム部１２が粘着層により接着されており、これらは上記のように一体となったまま巻回されて保管されるとよい。
【００４８】
一方、使用するときには、保管されていた止水板１０、閂部材３２、及び圧着手段３３等を設置場所まで搬出する。その後、止水板１０を展開し、かつその下端部に取り付けられている止水ゴム部１２のはみ出た部分を、止水シート１１の正面１１Ｄ側に折り曲げるとともに、その折り曲げた止水ゴム部１２を床面上に敷設する。敷設した止水ゴム部１２の上には、止水シート１１及び側板１４を立設させる。また、止水シート１１の両側端部に取り付けられた側板１４、１４それぞれを支柱材３１、３１の縦溝３１Ａ、３１Ａ内に挿入する。そして、弾性部材１５を縦溝３１Ａの内面に密着させるとともに、止水シート１１を支柱材３１、３１間に張設して、止水板１０を両支柱材３１、３１間に固定させる。
【００４９】
次に、止水シート１１の背面１１Ｅ側に閂部材３２及び圧着手段３３を配設する作業を行う。具体的には、まず閂部材３２を、長さ方向を水平にし、かつ止水シート１１の下側部分の背面１１Ｅに沿って配置させた状態にして、支持金具３４によって床面などに固定する。その後、圧着手段３３の弾性ベルト体３３Ａの上端部に装着している取付用金具３３Ｂを止水シート１１の上端部に引っ掛けて係止させるとともに、弾性ベルト体３３Ａの下端部に装着している連結用金具３３Ｃを閂部材３２に取り付けるとよい。このとき、弾性ベルト体３３Ａは伸長させた状態にする。また、止水板を出入口又は通路の側壁面などによってさらに支持させるための支持部材が別途設けられる場合には、その支持部材も適宜取り付けるとよい。
【００５０】
以上のようにして設置された浸水防止装置３０は、止水板１０の両側端部、及び下端部が支柱材３１及び床面に水密に密着されることになる。従って、上流側から水が流れてきても止水板１０により止水され、下流側に浸水することが防止される。
【００５１】
本実施形態における止水板１０は、止水シート１１が合成樹脂及び繊維により構成されることで、軽量で持ち運びが容易であるとともに、巻回可能であるためコンパクトに保管できる。また、設置時には熟練した作業員でなくとも容易に設置することができる。
【００５２】
さらに、止水板１０は、止水シート１１が合成樹脂及び繊維により構成されるとともに、止水ゴム部１２が粘着層により止水シート１１に接着されることで、複数回使用できる耐久性を有する。加えて、止水ゴム部１２は劣化したとしても、容易に取り替えることが可能であり、良好なメンテナンス性を有する。
【符号の説明】
【００５３】
１０  止水板
１１  止水シート
１１Ａ  シート本体
１１Ｂ  縦リブ部
１１Ｃ  スキン部
１１Ｄ  正面
１１Ｅ  背面
１２  止水ゴム部
１３Ａ  基材
１３Ｂ，１３Ｃ  粘着層
１４  側板
１５  弾性部材
３１  支柱材
３１Ａ  縦溝
３２  閂部材
３３  圧着手段
３４  支持金具
３５  保持具
３６  係留金具
３７  蓋
【図１】
2019138071.tif 000003
【図２】
2019138071.tif 000004
【図３】
2019138071.tif 000005
【図４】
2019138071.tif 000006
【図５】
2019138071.tif 000007
【図６】
2019138071.tif 000008
【図７】
2019138071.tif 000009